【手続補正書】
【提出日】平成17年8月5日(2005.8.5)
【手続補正１】
【補正対象書類名】明細書
【補正対象項目名】発明の名称
【補正方法】変更
【補正の内容】
【発明の名称】インクジェット記録装置
【手続補正２】
【補正対象書類名】明細書
【補正対象項目名】特許請求の範囲
【補正方法】変更
【補正の内容】
【特許請求の範囲】
【請求項１】
記録ヘッドの吐出口を覆うためのキャップに負圧発生源を接続し、キャップを記録ヘッドに密着させた状態で負圧発生源を作動させることにより吐出口からインクを吸引する吸引動作を行うクリーニング機構部を備えたインクジェット記録装置において、
前記キャップの吸引口部と前記負圧発生源へ通じる吸引チューブとを、金属等のガスバリア性の高い材料で形成された中空筒状の連結部材で接続することを特徴とするインクジェット記録装置。
【請求項２】
前記連結部材は前記キャップを保持するキャップホルダの通口部に圧入嵌合されており、該連結部材の両端部はキャップホルダを介さずに前記吸引口部と前記吸引チューブとに連結されていることを特徴とする請求項１に記載のインクジェット記録装置。
【請求項３】
前記連結部材に接続される吸引チューブ及び前記負圧発生源のポンプチューブはそれぞれ異なる材質で形成され、前記吸引チューブと前記ポンプチューブはチューブ連結部材によって接続され、前記吸引チューブは前記ポンプチューブよりもガスバリア性の高いゴム状弾性材で形成されていることを特徴とする請求項１又は２に記載のインクジェット記録装置。
【請求項４】
前記キャップが記録ヘッドのカラー吐出口部とブラック吐出口部に対応して複数個のキャップ室に分割され、各キャップ室ごとに該キャップの吸引口部と前記負圧発生源へ通じる吸引チューブとを、金属等のガスバリア性の高い材料で形成された中空筒状の連結部材で接続することを特徴とする請求項１〜３のいずれかに記載のインクジェット記録装置。
【請求項５】
記録ヘッドの吐出口を覆うためのキャップに負圧発生源を接続し、キャップを記録ヘッドに密着させた状態で負圧発生源を作動させることにより吐出口からインクを吸引する吸引動作を行うクリーニング機構部を備えたインクジェット記録装置において、
前記キャップを保持するキャップホルダを備えており、
前記キャップの吸引口部と前記負圧発生源へ通じる吸引チューブとを連結する前記キャップホルダの吸引孔部に、金属等のガスバリア性の高い材料で形成されたパイプ材が圧入されていることを特徴とするインクジェット記録装置。
【請求項６】
前記キャップが記録ヘッドのカラー吐出口部とブラック吐出口部に対応して複数個のキャップ室に分割され、各キャップ室ごとに該キャップの吸引口部と前記負圧発生源へ通じる吸引チューブとを連結する前記キャップホルダの吸引孔部に、金属等のガスバリア性の高い材料で形成されたパイプ材が圧入されていることを特徴とする請求項５に記載のインクジェット記録装置。
【請求項７】
前記負圧発生源は、ガイド部材に沿って配設されたポンプチューブを、回転体に軸支された押圧ローラでしごくことにより、該ポンプチューブ内に負圧を発生させるチューブポンプであることを特徴とする請求項１〜６のいずれかに記載のインクジェット記録装置。
【手続補正３】
【補正対象書類名】明細書
【補正対象項目名】０００１
【補正方法】変更
【補正の内容】
【０００１】
【発明の属する技術分野】
本発明は、記録ヘッドから被記録材へインクを吐出して記録を行うインクジェット記録装置に関する。
ここでいう記録装置とは、プリンタ、複写機、ファクシミリ等の機能を有する記録装置、あるいはコンピューターやワードプロセッサ等を含む複合機やワークステーションの出力機器として用いられる記録装置であって、画像情報に基づいて用紙やプラスチック薄板（ＯＨＰなど）等の被記録材（記録媒体）に画像（文字や記号なども含む）を形成していく構成のものをいう。
【手続補正４】
【補正対象書類名】明細書
【補正対象項目名】０００２
【補正方法】変更
【補正の内容】
【０００２】
【従来の技術】
例えば、  被記録材の搬送方向（副走査方向）と交叉する方向に主走査するシリアルスキャン方式を採るシリアルタイプの記録装置においては、被記録材に沿って移動するキャリッジ上に搭載した記録手段によって画像を記録（主走査）し、１行分の記録を終了した後に所定量の紙送り（ピッチ搬送）を行い、その後に再び停止した被記録材に対して、次の行の画像を記録（主走査）するという動作を繰り返すことにより、被記録材全体の記録が行われる。
【手続補正５】
【補正対象書類名】明細書
【補正対象項目名】００１６
【補正方法】変更
【補正の内容】
【００１６】
本発明はこのような技術的課題に鑑みてなされたものであり、本発明の目的は、簡単かつ安価な構成で、記録ヘッドを覆うキャッピング手段のインク蒸発抑制効果を向上させることができるインクジェット記録装置を提供することである。
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００４８
【補正方法】変更
【補正の内容】
【００４８】
【発明の効果】
請求項１の発明によれば、記録ヘッドの吐出口を覆うためのキャップに負圧発生源を接続し、キャップを記録ヘッドに密着させた状態で負圧発生源を作動させることにより吐出口からインクを吸引する吸引動作を行うクリーニング機構部を備えたインクジェット記録装置において、前記キャップの吸引口部と前記負圧発生源へ通じる吸引チューブとを、金属等のガスバリア性の高い材料で形成された中空筒状の連結部材で接続する構成としたので、簡単かつ安価な構成で、記録ヘッドを覆うキャッピング手段のインク蒸発抑制効果を向上させることができるインクジェット記録装置が提供される。
【手続補正９】
【補正対象書類名】明細書
【補正対象項目名】００４９
【補正方法】削除
【補正の内容】
【手続補正１０】
【補正対象書類名】明細書
【補正対象項目名】００５０
【補正方法】変更
【補正の内容】
【００５０】
請求項５の発明によれば、記録ヘッドの吐出口を覆うためのキャップに負圧発生源を接続し、キャップを記録ヘッドに密着させた状態で負圧発生源を作動させることにより吐出口からインクを吸引する吸引動作を行うクリーニング機構部を備えたインクジェット記録装置において、前記キャップを保持するキャップホルダを備えており、前記キャップの吸引口部と前記負圧発生源へ通じる吸引チューブとを連結する前記キャップホルダの吸引孔部に、金属等のガスバリア性の高い材料で形成されたパイプ材が圧入されている構成としたので、簡単かつ安価な構成で、記録ヘッドを覆うキャッピング手段のインク蒸発抑制効果を向上させることができるインクジェット記録装置が提供される。
【手続補正１１】
【補正対象書類名】明細書
【補正対象項目名】００５１
【補正方法】削除
【補正の内容】
【手続補正１２】
【補正対象書類名】明細書
【補正対象項目名】００５２
【補正方法】削除
【補正の内容】
【手続補正１３】
【補正対象書類名】明細書
【補正対象項目名】００５３
【補正方法】削除
【補正の内容】
【手続補正１４】
【補正対象書類名】明細書
【補正対象項目名】００５４
【補正方法】削除
【補正の内容】
【手続補正１５】
【補正対象書類名】明細書
【補正対象項目名】００５５
【補正方法】削除
【補正の内容】